(57)【要約】【課題】大量の放射性同位元素を安全に搬送することができ、併せて放射性同位元素を極めて安全に使用することができるようにする。【解決手段】コンテナ本体外板３１ａの内側に設けられた遮蔽壁３６と、この遮蔽壁３６の内側に設けられたカセット収容部を有する内壁３７とを有したコンテナ本体３１と、蓋体外板３８の内側に設けられた遮蔽壁４１を有し、コンテナ本体３１に装着される蓋体３２とを備えるコンテナ３０に、サイクロトロンにより生成された半減期が短い放射性同位元素である核種をチップ化したチップを収容するピークカラムと、開閉自在とされたケース体と、これらケース体の内部に設けられ、ピークカラムを収容するカラム収容部とを備えるカセット５０を収容し、コンテナ本体３１に蓋体３２を装着することで、コンテナ３０の内部を遮蔽壁３６，４１により遮蔽することができる。【選択図】    図４
2005049112.tif 000002
【特許請求の範囲】
【請求項１】
カセットと、このカセットを収容するコンテナとからなり、
前記コンテナは、
コンテナ本体外板の内側に設けられた第１の遮蔽壁と、この第１の遮蔽壁の内側に設けられたカセット収容部を有する内壁とを有するコンテナ本体と、
蓋体外板の内側に設けられた第２の遮蔽壁を有し、前記コンテナ本体に装着される蓋体とを備え、
前記カセットは、
サイクロトロンにより生成された半減期が短い放射性同位元素である核種又はこの核種に疑似ブドウ糖を結合させた薬剤をチップ化したものを収容するカラムと、
開閉自在とされた第１及び第２のケース体と、
これら第１及び第２のケース体の内部に設けられ、前記カラムを収容するカラム収容部とを備え、
前記カセットが前記カセット収容部に収容され、前記コンテナ本体に前記蓋体が装着されることで、前記コンテナの内部が前記第１の遮蔽壁と前記第２の遮蔽壁とにより遮蔽されることを特徴とする放射性物質の搬送装置。
【請求項２】
前記コンテナ本体外板の対向する位置には、第１の回転支持体が取り付けられ、これら第１の回転支持体に連結部材の一端が回転自在に支持され、これら連結部材の他端に第１の取っ手の両端が回転自在に支持され、
さらに、前記蓋体外板の対向する位置には、第２の回転支持体が取り付けられ、これら第２の回転支持体に第２の取っ手の両端が回転自在に支持されていることを特徴とする請求項１に記載の放射性物質の搬送装置。
【請求項３】
前記カラムの両端にはエクステンションチューブが設けられ、
前記第１及び第２のケース体のいずれかには前記カラム収容部から外部に連通させたエクステンションチューブ導出孔が設けられ、
前記エクステンションチューブの端部が前記エクステンションチューブ導出孔から外部に引き出されていることを特徴とする請求項１又は２に記載の放射性物質の搬送装置。
【請求項４】
前記第１及び第２のケース体の一側部側には、第３の取っ手が着脱自在に取り付けられていることを特徴とする請求項１〜３のいずれかに記載の放射性物質の搬送装置。
【請求項５】
前記コンテナ本体は円筒形をなし、前記コンテナ本体外板及び前記蓋体外板はステンレス製であり、
前記第１及び第２のケース体はタングステンよりなることを特徴とする請求項１〜４のいずれかに記載の放射性物質の搬送装置。
【請求項６】
コンテナ本体外板の内側に設けられた第１の遮蔽壁と、この第１の遮蔽壁の内側に設けられたカセット収容部を有する内壁とを有するコンテナ本体と、
蓋体外板の内側に設けられた第２の遮蔽壁を有し、前記コンテナ本体に装着される蓋体とを備えることを特徴とするコンテナ。
【請求項７】
前記コンテナ本体外板の対向する位置には、第１の回転支持体が取り付けられ、これら第１の回転支持体に連結部材の一端が回転自在に支持され、これら連結部材の他端に第１の取っ手の両端が回転自在に支持され、
さらに、前記蓋体外板の対向する位置には、第２の回転支持体が取り付けられ、これら第２の回転支持体に第２の取っ手の両端が回転自在に支持されている
ことを特徴とする請求項６に記載のコンテナ。
【請求項８】
前記コンテナ本体は円筒形をなし、前記コンテナ本体外板はステンレス製であることを特徴とする請求項６又は７に記載のコンテナ。
【請求項９】
サイクロトロンにより生成された半減期が短い放射性同位元素である核種又はこの核種に疑似ブドウ糖を結合させた薬剤をチップ化したものを収容するカラムと、
開閉自在とされた第１及び第２のケース体と、
これら第１及び第２のケース体の内部に設けられ、前記カラムを収容するカラム収容部とを備えることを特徴とするカセット。
【請求項１０】
前記カラムの両端にはエクステンションチューブが設けられ、
前記第１及び第２のケース体のいずれかには前記カラム収容部から外部に連通させたエクステンションチューブ導出孔が設けられ、
前記エクステンションチューブの端部が前記エクステンションチューブ導出孔から外部に引き出されていることを特徴とする請求項９に記載のカセット。
【請求項１１】
前記第１及び第２のケース体の一側部側には、第３の取っ手が着脱自在に取り付けられていることを特徴とする請求項９又は１０に記載のカセット。
【請求項１２】
前記第１及び第２のケース体はタングステンよりなることを特徴とする請求項９〜１１のいずれかに記載のカセット。
【発明の詳細な説明】
【０００１】
【発明の属する技術分野】
本発明は、半減期が短い放射性同位元素をチップ化して搬送する放射性物質の搬送装置に関する。
【０００２】
【従来の技術】
一般に、がん検査等は、ＣＴ（コンピューター断層撮影）やＭＲＩ（磁気共鳴診断装置）により行われている。ただし、これらの装置では、リンパ節転移等の微小ながん病巣を発見するのは困難である。
【０００３】
そこで、近年では、数ミリ単位の微小のがんを発見し、良・悪性の鑑別から、手術後の転移・再発、病期、治療効果の判定等もできるＰＥＴ（陽電子放射断層撮影装置）という最先端装置によるがん検査が注目されている。
【０００４】
すなわち、陽電子を放出する放射性同位元素の１８Ｆ（フッ素）である核種に疑似ブドウ糖を結合させたＦＤＧという薬剤を受診者の静脈に５〜１０ｃｃ注射し、４０分ほど安静にした後、全身を断層撮影する。このとき、代謝が盛んな悪性のがん細胞にはＦＤＧが大量に集まり、放出された陽電子が消滅する際に発生するガンマ線を検出することで、がんのある部位を画像としてとらえることができる。
【０００５】
ところで、放射性同位元素の１８Ｆである核種は、サイクロトロンを用いた加速器施設によって生成されるが、その加速器施設が極めて高価であるため、各医療機関に加速器施設を設置することは困難となっている。そこで、加速器施設を設置している医療機関から加速器施設を設置していない医療機関、もしくは故障あるいはメンテナンスのため一時的に加速器施設を使用できない医療機関へ核種を提供し、提供先の医療機関にてその核種からＦＤＧである薬剤を生成することにより、加速器施設を設置していない医療機関、もしくは故障あるいはメンテナンスのため一時的に加速器施設を使用できない医療機関でも設備費の負担あるいは不可避的負担を軽減することができる。
【０００６】
このような核種を加速器施設を設置していない医療機関、もしくは故障あるいはメンテナンスのため一時的に加速器施設を使用できない医療機関へ提供する方法として、特許文献１では、標識薬剤が封入された容器を、第一層遮蔽体容器胴体及び第二層遮蔽体からなる輸送容器に内蔵し、輸送中における放射能の減衰により不要となる遮蔽体を分離除去して遮蔽体を軽量化し、輸送量の増大を図った放射性同位元素の輸送方法を提案している。
【０００７】
【特許文献１】
特開２０００−２９２５９１
【０００８】
【発明が解決しようとする課題】
ところで、核種である１８Ｆは、半減期が１１０分（約２時間）であるため、加速器で生成された後、時間の経過とともに、その１８Ｆの量が減少する。たとえば、２時間で１／２に減少し、８時間で１／１６に減少する。２４時間経つと１／４０９６となり、元の０．０２％になる。
【０００９】
そのため、核種である１８Ｆを大量に搬送する必要がある場合、特許文献１のように、複数の遮蔽体によって保護された容器内に、液体の核種である１８Ｆを収容することで、輸送量の増大を図ることができるが、搬送中に振動が生じると、飛散するおそれがあり、危険である。
【００１０】
また、特許文献１に示される輸送容器は、標識薬剤が封入された容器を、第一層遮蔽体容器胴体及び第二層遮蔽体からなる輸送容器に内蔵した構成であり、容器内の標識薬剤を使用する場合には、第一層遮蔽体容器胴体及び第二層遮蔽体から蓋体部分を取り外し、容器から直接、標識薬剤を吸引するようになっている。そのため、その容器に液体の核種である１８Ｆを収容した場合、その容器から核種を直接、吸引する必要があり、非常に危険である。
【００１１】
本発明は、このような状況に鑑みてなされたものであり、大量の放射性同位元素を安全に搬送することができ、併せて放射性同位元素を極めて安全に使用することができる放射性物質の搬送装置を提供することを目的とする。
【００１２】
【課題を解決するための手段】
本発明の放射性物質の搬送装置は、カセットと、このカセットを収容するコンテナとからなり、コンテナは、コンテナ本体外板の内側に設けられた第１の遮蔽壁と、この第１の遮蔽壁の内側に設けられたカセット収容部を有する内壁とを有するコンテナ本体と、蓋体外板の内側に設けられた第２の遮蔽壁を有し、コンテナ本体に装着される蓋体とを備え、カセットは、サイクロトロンにより生成された半減期が短い放射性同位元素である核種又はこの核種に疑似ブドウ糖を結合させた薬剤をチップ化したものを収容するカラムと、開閉自在とされた第１及び第２のケース体と、これら第１及び第２のケース体の内部に設けられ、カラムを収容するカラム収容部とを備え、カセットがカセット収容部に収容され、コンテナ本体に蓋体が装着されることで、コンテナの内部が第１の遮蔽壁と第２の遮蔽壁とにより遮蔽されることを特徴とする。
また、コンテナ本体外板の対向する位置には、第１の回転支持体が取り付けられ、これら第１の回転支持体に連結部材の一端が回転自在に支持され、これら連結部材の他端に第１の取っ手の両端が回転自在に支持され、さらに、蓋体外板の対向する位置には、第２の回転支持体が取り付けられ、これら第２の回転支持体に第２の取っ手の両端が回転自在に支持されているようにすることができる。
また、カラムの両端にはエクステンションチューブが設けられ、第１及び第２のケース体のいずれかにはカラム収容部から外部に連通させたエクステンションチューブ導出孔が設けられ、エクステンションチューブの端部がエクステンションチューブ導出孔から外部に引き出されているようにすることができる。
また、第１及び第２のケース体の一側部側には、第３の取っ手が着脱自在に取り付けられているようにすることができる。
また、コンテナ本体は円筒形をなし、コンテナ本体外板及び蓋体外板はステンレス製であり、第１及び第２のケース体はタングステンよりなるようにすることができる。
本発明のコンテナは、コンテナ本体外板の内側に設けられた第１の遮蔽壁と、この第１の遮蔽壁の内側に設けられたカセット収容部を有する内壁とを有するコンテナ本体と、蓋体外板の内側に設けられた第２の遮蔽壁を有し、コンテナ本体に装着される蓋体とを備えることを特徴とする。
また、コンテナ本体外板の対向する位置には、第１の回転支持体が取り付けられ、これら第１の回転支持体に連結部材の一端が回転自在に支持され、これら連結部材の他端に第１の取っ手の両端が回転自在に支持され、さらに、蓋体外板の対向する位置には、第２の回転支持体が取り付けられ、これら第２の回転支持体に第２の取っ手の両端が回転自在に支持されているようにすることができる。
また、コンテナ本体は円筒形をなし、コンテナ本体外板はステンレス製であるようにすることができる。
本発明のカセットは、サイクロトロンにより生成された半減期が短い放射性同位元素である核種又はこの核種に疑似ブドウ糖を結合させた薬剤をチップ化したものを収容するカラムと、開閉自在とされた第１及び第２のケース体と、これら第１及び第２のケース体の内部に設けられ、カラムを収容するカラム収容部とを備えることを特徴とする。
また、カラムの両端にはエクステンションチューブが設けられ、第１及び第２のケース体のいずれかにはカラム収容部から外部に連通させたエクステンションチューブ導出孔が設けられ、エクステンションチューブの端部がエクステンションチューブ導出孔から外部に引き出されているようにすることができる。
また、第１及び第２のケース体の一側部側には、第３の取っ手が着脱自在に取り付けられているようにすることができる。
また、第１及び第２のケース体はタングステンよりなるようにすることができる。
本発明に係る放射性物質の搬送装置においては、コンテナ本体外板の内側に設けられた第１の遮蔽壁と、この第１の遮蔽壁の内側に設けられたカセット収容部を有する内壁とを有したコンテナ本体と、蓋体外板の内側に設けられた第２の遮蔽壁を有し、コンテナ本体に装着される蓋体とを備えるコンテナに、サイクロトロンにより生成された半減期が短い放射性同位元素である核種又はこの核種に疑似ブドウ糖を結合させた薬剤をチップ化したものを収容するカラムと、開閉自在とされた第１及び第２のケース体と、これら第１及び第２のケース体の内部に設けられ、カラムを収容するカラム収容部とを備えるカセットを収容し、コンテナ本体に蓋体を装着することで、コンテナの内部を第１の遮蔽壁と第２の遮蔽壁とにより遮蔽することができる。
【００１３】
【発明の実施の形態】
以下、本発明の実施の形態について説明する。
図１は、本発明の放射性物質の搬送装置に関わる概要を説明するための図、図２〜図５は、図１の放射性物質の搬送装置に関わるコンテナを説明するための図、図６〜図８は、図２〜図５のコンテナに収容されるカセットを説明するための図である。
【００１４】
図１に示すように、Ａ医療機関１０には、サイクロトロン１１、合成装置１２、ＰＥＴ（陽電子放射断層撮影装置）１３、固体化装置１４が備えられている。
サイクロトロン１１は、放射性同位元素のたとえば１８Ｆ（フッ素）である核種を生成する。合成装置１２は、サイクロトロン１１によって生成された放射性同位元素の１８Ｆ（フッ素）である核種に疑似ブドウ糖を結合させたＦＤＧ１５という薬剤を生成する。
【００１５】
ＰＥＴ１３は、受診者の静脈に薬剤を５〜１０ｃｃ注射し、４０分ほど安静にした後、その全身を断層撮影するものである。この断層撮影により、代謝が盛んな悪性のがん細胞にはＦＤＧが大量に集まり、放出された陽電子が消滅する際に発生するガンマ線を検出することで、がんのある部位が画像としてとらえられる。
固体化装置１４は、サイクロトロン１１によって生成された放射性同位元素の核種である１８Ｆ（フッ素）を固化してチップ化するものである。
【００１６】
チップ化された核種１６は、運搬車等によって加速器施設を設置していないＢ医療機関２０に、後述のカセット５０を収容したコンテナ３０を用いて搬送される。ここで、コンテナ３０とカセット５０とは、本発明の放射性物質の搬送装置を構成するものである。
ここで、チップ化された核種１６は、Ｂ医療機関２０に限らず、他の加速器施設を設置していない医療機関、もしくは故障あるいはメンテナンスのため一時的に加速器施設を使用できない医療機関へも搬送される。
【００１７】
Ｂ医療機関２０には、合成装置２１、ＰＥＴ２２が備えられている。
合成装置２１は、チップ化された核種１６から抽出された１８Ｆである核種に、上記同様に、疑似ブドウ糖を結合させたＦＤＧ２３という薬剤を生成する。ＰＥＴ２２は、上記同様に、受診者の静脈に薬剤を５〜１０ｃｃ注射し、４０分ほど安静にした後、その全身を断層撮影するものである。
【００１８】
次に、図２〜図５により、チップ化された核種１６を搬送する放射性物質の搬送装置のコンテナ３０について説明する。
これらの図に示すように、コンテナ３０はコンテナ本体３１と蓋体３２とを備えている。コンテナ本体３１は、たとえば円筒形をなし、ステンレス製のコンテナ本体外板３１ａを有している。コンテナ本体外板３１ａの対向する位置には、回転支持体３３が取り付けられている。第１の回転支持体としての回転支持体３３には、連結部材３４の一端が回転自在に支持されている。連結部材３４の他端には、第１の取っ手としての取っ手３５の両端が回転自在に支持されている。なお、これら回転支持体３３、連結部材３４、取っ手３５は、たとえばステンレスによりなるものである。
【００１９】
コンテナ本体外板３１ａの内側には、Ｐｂ（鉛）よりなる第１の遮蔽壁としての遮蔽壁３６が設けられている。遮蔽壁３６の内側には、カセット収容部３７ａと空間３７ｂとを有する塩ビ製よりなる内壁３７が設けられている。なお、カセット収容部３７ａに収容されるカセット５０の詳細については、後述する。
【００２０】
一方、蓋体３２は、ステンレス製の蓋体外板３８を有している。蓋体外板３８の対向する位置には、第２の回転支持体としての回転支持体３９が取り付けられている。回転支持体３９には、第２の取っ手としての取っ手４０の両端が回転自在に支持されている。なお、これら回転支持体３９、取っ手４０は、たとえばステンレスによりなるものである。蓋体外板３８の内側には、Ｐｂ（鉛）よりなる第２の遮蔽壁としての遮蔽壁４１が設けられている。
【００２１】
このように、コンテナ本体３１に蓋体３２を装着することで、コンテナ３０の内部がコンテナ本体３１側の遮蔽壁３６と蓋体３２側の遮蔽壁４１とにより完全に遮蔽される。
【００２２】
次に、図６〜図８により、コンテナ３０に収容される放射性物質の搬送装置のカセット５０について説明する。
これらの図に示すように、カセット５０は、直方体形状をなし、長手方向に沿って二分割されたタングステンよりなるケース体５１，５２を有している。ケース体５１，５２の底部には、蝶番５３が設けられている。この蝶番５３により、ケース体５１，５２が開閉自在となっている。ケース体５１，５２の頂部には、留め金５４が設けられている。この留め金５４により、ケース体５１，５２の閉塞が維持される。なお、ケース体５１，５２の頂部側が嵌合可能な形状とされた場合、留め金５４は不要である。
【００２３】
ケース体５１，５２の一側部側には、コ字形状の第３の取っ手としての取っ手５５が設けられている。この取っ手５５は、ケース体５１，５２の一側部側に対して着脱自在に設けることができる。
ケース体５１，５２の内部には、カラム収容部５６が設けられている。ケース体５２側には、カラム収容部５６から外部に連通させたエクステンションチューブ導出孔５７が設けられている。
【００２４】
カラム収容部５６には、放射性物質を吸着した樹脂の両端をポリエチレン（ＰＥ）で固定したチップ６０を保持するピーク（ＰＥＥＫ）カラム６１が収容されている。ピーク（ＰＥＥＫ）カラム６１の両端に設けられているエクステンションチューブ６２は、エクステンションチューブ導出孔５７に収容されている。各エクステンションチューブ６２の端部はエクステンションチューブ導出孔５７から外部に引き出されている。
【００２５】
次に、上述したコンテナ３０及びカセット５０の使用方法について説明する。
まず、図１に示したＡ医療機関１０に設置されているサイクロトロン１１により、核種である１８Ｆを生成する。その核種である１８ＦがＡ医療機関１０内で使用される場合、合成装置１２により、１８Ｆに疑似ブドウ糖を結合させたＦＤＧ１５という薬剤が生成される。そして、受診者の静脈に薬剤であるＦＤＧ１５を５〜１０ｃｃ注射し、４０分ほど安静にした後、その全身をＰＥＴ１３により断層撮影することで、がんのある部位が画像としてとらえられる。
【００２６】
一方、サイクロトロン１１により生成された核種である１８Ｆを他の加速器施設を設置していないＢ医療機関２０等に搬送する場合、その核種である１８Ｆを固体化装置１４により固化させてチップ化し、図６及び図７で示したチップ６０とする。この場合、まずチップ６０をなす強陰イオン交換樹脂をピークカラム６１に装填し、その強陰イオン交換樹脂に核種である１８Ｆのみを吸着させた後、ピークカラム６１の両端を、図６〜図８に示したエクステンションチューブ６２で固定する。
【００２７】
ここで、強陰イオン交換樹脂に核種である１８Ｆのみを吸着させるための前処理として、ピークカラム６１に装填した強陰イオン交換樹脂を、１Ｎ水酸化ナトリウムでＯＨ体にした後、１Ｍ炭酸カリ（Ｋ２ＣＯ３）でＨＣＯ３  体にする。また、強陰イオン交換樹脂としては、ＡＧＩ−ｘ８，Ｂｉｏ  Ｒａｄ等を用いることができる。また、チップ６０をなす強陰イオン交換樹脂は、外径が５ｍｍ、内径が２ｍｍ、高さが１３ｍｍとすることができる。
【００２８】
次いで、ピークカラム６１を図６〜図８に示したカセット５０のケース体５１，５２の内部に設けられているカラム収容部５６に収容し、さらにケース体５２側に設けられているエクステンションチューブ導出孔５７にエクステンションチューブ６２を収容する。その後、ケース体５１，５２を閉じ、留め金５４によりケース体５１，５２を閉塞する。このとき、各エクステンションチューブ６２の端部はエクステンションチューブ導出孔５７から外部に引き出される。
【００２９】
そして、図６に示した取っ手５５を、ケース体５１，５２の一側部側に装着し、その取っ手５５を掴んでカセット５０を図４及び図５に示したコンテナ３０のコンテナ本体３１の内壁３７のカセット収容部３７ａに収容する。このとき、エクステンションチューブ６２を内壁３７の空間３７ｂに位置させる。次いで、コンテナ本体３１に蓋体３２を装着する。
【００３０】
このように、コンテナ本体３１に蓋体３２を装着することで、コンテナ３０の内部がコンテナ本体３１側の遮蔽壁３６と蓋体３２側の遮蔽壁４１とにより完全に遮蔽される。また、蓋体３２は、Ｐｂ（鉛）よりなる遮蔽壁４１により、十分な重みがあるため、振動等が加えられてもコンテナ本体３１側から外れることはない。また、取っ手５５が蓋体３２の遮蔽壁４１に当接するため、カセット５０がコンテナ本体３１内部において安定した状態で収容されることになる。
【００３１】
そして、カセット５０を収容したコンテナ３０は、運搬車等によって加速器施設を設置していないＢ医療機関２０に搬送される。なお、このようなコンテナ３０は、上述したように、Ｂ医療機関２０に限らず、他の加速器施設を設置していない医療機関へも搬送される。また、加速器施設を設置しているが、故障又はメンテナンスにより加速器施設を使用できない医療機関へも搬送される。
【００３２】
コンテナ３０を受け取った加速器施設を設置していないＢ医療機関２０等においては、コンテナ３０からカセット５０を取り出した後、ピークカラム６１内の核種である１８Ｆをチップ６０である強陰イオン交換樹脂から溶出する。この場合、エクステンションチューブ６２の外部に露出している端部に溶出のための図示しないエクステンションチューブを連結する。連結に際しては、両者の端部を嵌合できる嵌合器具を用いればよい。
【００３３】
チップ６０である強陰イオン交換樹脂から溶出された核種である１８Ｆは、図示しないエクステンションチューブを介して合成装置２１に投入されると、合成装置２１により、その１８Ｆに疑似ブドウ糖を結合させたＦＤＧ２３という薬剤が生成される。そして、受診者の静脈に薬剤であるＦＤＧ２３を５〜１０ｃｃ注射し、４０分ほど安静にした後、その全身をＰＥＴ２２により断層撮影することで、がんのある部位が画像としてとらえられる。
【００３４】
このように、本実施の形態では、コンテナ本体外板３１ａの内側に設けられた遮蔽壁３６と、この遮蔽壁３６の内側に設けられたカセット収容部３７ａを有する内壁３７とを有したコンテナ本体３１と、蓋体外板３８の内側に設けられた遮蔽壁４１を有し、コンテナ本体３１に装着される蓋体３２とを備えるコンテナ３０に、サイクロトロン１１により生成された半減期が短い放射性同位元素である核種をチップ化したチップ６０を収容するピークカラム６１と、開閉自在とされたケース体５１，５２と、これらケース体５１，５２の内部に設けられ、ピークカラム６１を収容するカラム収容部５６とを備えるカセット５０を収容し、コンテナ本体３１に蓋体３２を装着することで、コンテナ３０の内部を遮蔽壁３６，４１により遮蔽することができる。
これにより、大量の放射性同位元素を安全に搬送することができ、併せて被爆を防ぐことができるので、放射性同位元素を極めて安全に使用することができる。
【００３５】
よって、高価な加速器施設を設置していないＢ医療機関２０であっても、半減期が短い放射性同位元素を自家生産する必要がなくなる。もしくは故障あるいはメンテナンスのため一時的に加速器施設を使用できない医療機関であっても、半減期が短い放射性同位元素を用いることができる。
【００３６】
なお、本実施の形態では、半減期が短い放射性同位元素として、１８Ｆの場合について説明したが、この例に限らず、１１Ｃ（炭素）、１３Ｎ（窒素）、１５Ｏ（酸素）等の他の半減期が短い放射性同位元素を上記同様にしてチップ化することができる。ちなみに、１１Ｃ（炭素）、１３Ｎ（窒素）、１５Ｏ（酸素）の半減期は、１１Ｃ（炭素）→２０分、１３Ｎ（窒素）→１０分、１５Ｏ（酸素）→２分である。
【００３７】
また、本実施の形態では、核種である１８Ｆをがん検査に適用した場合について説明したが、この例に限らず、臓器内分布を断層撮影することによって、臓器のはたらきを画像としてとらえる場合に使用されることができることは勿論である。
【００３８】
また、本実施の形態では、半減期が短い放射性同位元素を受診者の診断に用いた場合に説明したが、この例に限らず、動物の診断や植物の生体機能の測定に用いるようにしてもよい。
【００３９】
また、本実施の形態では、核種である１８Ｆをチップ化して搬送する場合について説明したが、この例に限らず、上述した薬剤であるＦＤＧ１５をチップ化して搬送するようにしてもよい。
また、上述した薬剤であるＦＤＧ１５，２３にあっては、次のようなものを使用することができる。
フッ素−１８  標識のフロロデオキシグルコース（１８ＦＤＧ）  ブドウ糖消費
フッ素−１８  標識のフロロドーパ（１８Ｆ−ＤＯＰＡ）  ドーパミン系シナプス前機能
酸素−１５  標識の水（Ｈ２１５Ｏ）  血流
酸素−１５  標識の酸素ガス（１５Ｏ２）  酸素消費
炭素−１１  標識のメチオニン（１１Ｃ−Ｍｅｔｈｉｏｎｉｎｅ）  アミノ酸代謝
窒素−１３  標識のアンモニア水（１３ＮＨ３）  心筋血流
炭素−１１  標識の酢酸（１１Ｃ−ａｃｅｔａｔｅ）  心筋好気性代謝
炭素−１１  標識のＮ−メチルスピペロン（１１Ｃ−ＮＭＳＰ）ドーパミン受容体
【００４０】
【発明の効果】
以上の如く本発明に係る放射性物質の搬送装置によれば、コンテナ本体外板の内側に設けられた第１の遮蔽壁と、この第１の遮蔽壁の内側に設けられたカセット収容部を有する内壁とを有したコンテナ本体と、蓋体外板の内側に設けられた第２の遮蔽壁を有し、コンテナ本体に装着される蓋体とを備えるコンテナに、サイクロトロンにより生成された半減期が短い放射性同位元素である核種又はこの核種に疑似ブドウ糖を結合させた薬剤をチップ化したものを収容するカラムと、開閉自在とされた第１及び第２のケース体と、これら第１及び第２のケース体の内部に設けられ、カラムを収容するカラム収容部とを備えるカセットを収容し、コンテナ本体に蓋体を装着することで、コンテナの内部を第１の遮蔽壁と第２の遮蔽壁とにより遮蔽することができるようにしたので、大量の放射性同位元素を安全に搬送することができ、併せて放射性同位元素を極めて安全に使用することができる。
【図面の簡単な説明】
【図１】本発明の放射性物質の搬送装置に関わる概要を説明するための図である。
【図２】図１の放射性物質の搬送装置に関わるコンテナを説明するための正面図である。
【図３】図２のコンテナを示す平面図である。
【図４】図２のコンテナを示す縦断面図である。
【図５】図２のコンテナを示す横断面図である。
【図６】図２〜図５のコンテナに収容されるカセットを説明するための正面図である。
【図７】図６のカセットを示す平面図である。
【図８】図６のカセットを示す側面図である。
【符号の説明】
１１  サイクロトロン
１２  合成装置
１４  固体化装置
２１  合成装置
３０  コンテナ
３１  コンテナ本体
３１ａ  コンテナ本体外板
３２  蓋体
３３  回転支持体
３４  連結部材
３５  取っ手
３６  遮蔽壁
３７  内壁
３７ａ  カセット収容部
３７ｂ  空間
３８  蓋体外板
３９  回転支持体
４０  取っ手
４１  遮蔽壁
５０  カセット
５１，５２  ケース体
５５  取っ手
５６  カラム収容部
５７  エクステンションチューブ導出孔
６０  チップ
６１  ピークカラム
６２  エクステンションチューブ
【図１】
2005049112.tif 000003
【図２】
2005049112.tif 000004
【図３】
2005049112.tif 000005
【図４】
2005049112.tif 000006
【図５】
2005049112.tif 000007
【図６】
2005049112.tif 000008
【図７】
2005049112.tif 000009
【図８】
2005049112.tif 000010